(57)【要約】【課題】原稿の長辺方向を読取副走査方向として原稿の画像を読み取り原稿の複写物を作成する複写処理において、複写処理に要する時間を短縮することができる複写装置および複写装置の制御プログラムを提供する。【解決手段】本発明の複写装置は、用紙の長辺方向が書込副走査方向と一致する第１の向きで画像形成部に用紙が給紙される場合については、原稿の読み取り処理に要する時間と第１の向きで給紙される用紙への画像形成処理に要する時間とを考慮する一方、用紙の短辺方向が書込副走査方向と一致する第２の向きで画像形成部に用紙が給紙される場合については、読み取り処理に要する時間と画像データの回転処理に要する時間と第２の向きで給紙される用紙への画像形成処理に要する時間とを考慮して、第１および第２の向きのうち、原稿の読み取り処理が開始されてから画像形成処理が完了するまでに要する時間が短い一方の向きを選択する。【選択図】図３
2013003400.tif 000002
【特許請求の範囲】
【請求項１】
原稿の長辺方向を読取副走査方向とし短辺方向を読取主走査方向として原稿の画像を読み取る読取部と、
前記読取部により原稿の画像を読み取って得られた画像データを回転する回転部と、
用紙の搬送方向を書込副走査方向とし当該書込副走査方向に直交する方向を書込主走査方向として、前記読取部により原稿の画像を読み取って得られた画像データまたは前記回転部により回転された画像データに基づく画像を用紙に形成する画像形成部と、
用紙の長辺方向が前記書込副走査方向と一致する第１の向きで前記画像形成部に用紙が給紙される場合については、原稿の読み取り処理に要する時間と前記第１の向きで給紙される用紙への画像形成処理に要する時間とを考慮する一方、用紙の短辺方向が前記書込副走査方向と一致する第２の向きで前記画像形成部に用紙が給紙される場合については、前記読み取り処理に要する時間と画像データの回転処理に要する時間と前記第２の向きで給紙される用紙への画像形成処理に要する時間とを考慮して、前記第１および第２の向きのうち、原稿の読み取り処理が開始されてから画像形成処理が完了するまでに要する時間が短い一方の向きを選択する選択部と、
前記選択部により前記第１の向きが選択された場合、前記回転部に回転処理を行わせることなく前記画像形成部に画像形成処理を行わせ、前記選択部により前記第２の向きが選択された場合、前記回転部に回転処理を行わせてから前記画像形成部に画像形成処理を行わせる制御を行う制御部と、を有することを特徴とする複写装置。
【請求項２】
前記第１の向きで用紙が給紙される場合と、前記第２の向きで用紙が給紙される場合とでは、前記読み取り処理が開始されてから前記画像形成処理が開始されるまでに要する時間が異なり、
前記選択部は、前記時間が異なることを考慮して、前記第１および第２の向きのうち一方の向きを選択することを特徴とする請求項１に記載の複写装置。
【請求項３】
前記第１の向きで用紙が給紙される場合、１枚の原稿の読み取り処理が完了する前に、当該原稿についての画像形成処理が開始され、
前記第２の向きで用紙が給紙される場合、１枚の原稿の読み取り処理が完了したのち、当該原稿についての回転処理が行われてから、前記画像形成処理が開始されることを特徴とする請求項２に記載の複写装置。
【請求項４】
画像データを縮小する縮小部をさらに有し、
前記選択部は、画像データの縮小処理に要する時間をさらに考慮して、前記第１および第２の向きのうち一方の向きを選択し、
前記縮小処理が行われる場合、前記制御部は、１枚の原稿の読み取り処理が完了したのち、当該原稿についての縮小処理を前記縮小部に行わせる制御を行うことを特徴とする請求項１に記載の複写装置。
【請求項５】
画像データを拡大する拡大部をさらに有し、
前記選択部は、画像データの拡大処理に要する時間をさらに考慮して、前記第１および第２の向きのうち一方の向きを選択し、
前記拡大処理が行われる場合、前記制御部は、前記読取部に原稿の一部の画像を読み取らせ、当該一部の画像の読み取り処理が完了したのち、前記拡大部に拡大処理を行わせる制御を行うことを特徴とする請求項１に記載の複写装置。
【請求項６】
前記選択部は、
前記第１の向きで用紙が給紙される場合における前記読み取り処理が開始されてから前記画像形成処理が完了するまでに要する時間が、前記第２の向きで用紙が給紙される場合における前記読み取り処理が開始されてから前記画像形成処理が完了するまでに要する時間よりも長くなる複写部数を算出する算出部と、
利用者により指定された原稿の複写部数を取得する取得部と、
前記利用者により指定された複写部数が前記算出部により算出された複写部数よりも多い場合、前記第２の向きを選択する選択決定部と、を有することを特徴とする請求項１〜５のいずれか１項に記載の複写装置。
【請求項７】
前記読取部は、第１の読み取り速度で読み取り処理を行う第１のモードと、前記第１の読み取り速度よりも遅い第２の読み取り速度で前記第１のモードよりも高解像度の読み取り処理を行う第２のモードを選択可能に構成されており、
前記読み取り処理に要する時間は、前記第１のモードが選択されている場合と前記第２のモードが選択されている場合とで異なることを特徴とする請求項１〜６のいずれか１項に記載の複写装置。
【請求項８】
前記読取部による１枚の原稿の読み取り処理に要する時間は、前記画像形成部による前記１枚の原稿についての画像形成処理に要する時間よりも長いことを特徴とする請求項１〜７のいずれか１項に記載の複写装置。
【請求項９】
原稿の長辺方向を読取副走査方向とし短辺方向を読取主走査方向として原稿の画像を読み取る読取部と、前記読取部により原稿の画像を読み取って得られた画像データを回転する回転部と、用紙の搬送方向を書込副走査方向とし当該書込副走査方向に直交する方向を書込主走査方向として、前記読取部により原稿の画像を読み取って得られた画像データまたは前記回転部により回転された画像データに基づく画像を用紙に形成する画像形成部と、を有する複写装置を制御するための複写装置の制御プログラムであって、
用紙の長辺方向が前記書込副走査方向と一致する第１の向きで前記画像形成部に用紙が給紙される場合については、原稿の読み取り処理に要する時間と前記第１の向きで給紙される用紙への画像形成処理に要する時間とを考慮する一方、用紙の短辺方向が前記書込副走査方向と一致する第２の向きで前記画像形成部に用紙が給紙される場合については、前記読み取り処理に要する時間と画像データの回転処理に要する時間と前記第２の向きで給紙される用紙への画像形成処理に要する時間とを考慮して、前記第１および第２の向きのうち、原稿の読み取り処理が開始されてから画像形成処理が完了するまでに要する時間が短い一方の向きを選択する手順（ａ）と、
前記手順（ａ）において前記第１の向きが選択された場合、前記回転部に回転処理を行わせることなく前記画像形成部に画像形成処理を行わせ、前記手順（ａ）において前記第２の向きが選択された場合、前記回転部に回転処理を行わせてから前記画像形成部に画像形成処理を行わせる制御を行う手順（ｂ）と、を前記複写装置に実行させる複写装置の制御プログラム。
【請求項１０】
前記第１の向きで用紙が給紙される場合と、前記第２の向きで用紙が給紙される場合とでは、前記読み取り処理が開始されてから前記画像形成処理が開始されるまでに要する時間が異なり、
前記手順（ａ）において、前記時間が異なることが考慮されることを特徴とする請求項９に記載の複写装置の制御プログラム。
【請求項１１】
前記第１の向きで用紙が給紙される場合、１枚の原稿の読み取り処理が完了する前に、当該原稿についての画像形成処理が開始され、
前記第２の向きで用紙が給紙される場合、１枚の原稿の読み取り処理が完了したのち、当該原稿についての回転処理が行われてから、前記画像形成処理が開始されることを特徴とする請求項１０に記載の複写装置の制御プログラム。
【請求項１２】
前記複写装置は、画像データを縮小する縮小部をさらに有し、
前記手順（ａ）において、画像データの縮小処理に要する時間をさらに考慮して、前記第１および第２の向きのうち一方の向きが選択され、
前記縮小処理が行われる場合、前記手順（ｂ）において、１枚の原稿の読み取り処理が完了したのち、当該原稿についての縮小処理を前記縮小部に行わせる制御が行われることを特徴とする請求項９に記載の複写装置の制御プログラム。
【請求項１３】
前記複写装置は、画像データを拡大する拡大部をさらに有し、
前記手順（ａ）において、画像データの拡大処理に要する時間をさらに考慮して、前記第１および第２の向きのうち一方の向きが選択され、
前記拡大処理が行われる場合、前記手順（ｂ）において、前記読取部に原稿の一部の画像を読み取らせ、当該一部の画像の読み取り処理が完了したのち、前記拡大部に拡大処理を行わせる制御が行われることを特徴とする請求項９に記載の複写装置の制御プログラム。
【請求項１４】
前記手順（ａ）は、
前記第１の向きで用紙が給紙される場合における前記読み取り処理が開始されてから前記画像形成処理が完了するまでに要する時間が、前記第２の向きで用紙が給紙される場合における前記読み取り処理が開始されてから前記画像形成処理が完了するまでに要する時間よりも長くなる複写部数を算出する手順（ａ１）と、
利用者により指定された原稿の複写部数を取得する手順（ａ２）と、
前記利用者により指定された複写部数が前記手順（ａ１）において算出された複写部数よりも多い場合、前記第２の向きを選択する手順（ａ３）と、を有することを特徴とする請求項９〜１３のいずれか１項に記載の複写装置の制御プログラム。
【請求項１５】
前記読取部は、第１の読み取り速度で読み取り処理を行う第１のモードと、前記第１の読み取り速度よりも遅い第２の読み取り速度で前記第１のモードよりも高解像度の読み取り処理を行う第２のモードを選択可能に構成されており、
前記読み取り処理に要する時間は、前記第１のモードが選択されている場合と前記第２のモードが選択されている場合とで異なることを特徴とする請求項９〜１４のいずれか１項に記載の複写装置の制御プログラム。
【請求項１６】
前記読取部による１枚の原稿の読み取り処理に要する時間は、前記画像形成部による前記１枚の原稿についての画像形成処理に要する時間よりも長いことを特徴とする請求項９〜１５のいずれか１項に記載の複写装置の制御プログラム。
【請求項１７】
請求項９〜１６のいずれか１項に記載の複写装置の制御プログラムを記録したコンピュータ読み取り可能な記録媒体。
【発明の詳細な説明】
【技術分野】
【０００１】
本発明は、原稿の画像を読み取り原稿の複写物を作成する複写装置および複写装置の制御プログラムに関する。
【背景技術】
【０００２】
近年、複写機、プリンター、イメージスキャナー、ファクシミリ等の機能を有する複合機（Ｍｕｌｔｉ−Ｆｕｎｃｔｉｏｎ  Ｐｅｒｉｐｈｅｒａｌ：ＭＦＰ）が普及している。ＭＦＰには、原稿の画像を読み取るための画像読取部に原稿を搬送する自動原稿搬送装置（Ａｕｔｏ  Ｄｏｃｕｍｅｎｔ  Ｆｅｅｄｅｒ：ＡＤＦ）が備えられ、複数枚の原稿を連続的に読み取ることができる。
【０００３】
ＡＤＦが備えられたＭＦＰにより原稿の複写処理を行う場合、通常、原稿の短辺方向が原稿の搬送方向と一致するようにＡＤＦに原稿がセットされ、ＡＤＦから画像読取部に原稿がＬＥＦ（Ｌｏｎｇ  Ｅｄｇｅ  Ｆｅｅｄ）で給紙される。ＬＥＦで給紙される原稿の画像は、原稿の搬送方向と直交する方向に延設されたラインセンサにより、原稿の長辺方向を読取主走査方向とし短辺方向を読取副走査方向として読み取られる。そして、ラインセンサにより原稿の画像を読み取って得られた画像データに基づく画像は、給紙トレイから画像形成部にＬＥＦで給紙される用紙に形成される。画像形成部は、レーザ発振器およびポリゴンミラー等からなる光学ユニットを備え、ＬＥＦで給紙される用紙に対して、用紙の長辺方向を書込主走査方向とし短辺方向を書込副走査方向として画像を形成する。
【０００４】
このような構成によれば、ＡＤＦから原稿がＳＥＦ（Ｓｈｏｒｔ  Ｅｄｇｅ  Ｆｅｅｄ）で給紙され、原稿の長辺方向を読取副走査方向として原稿の画像が読み取られる場合に比べ、原稿の読み取り処理に要する時間が短くなる。また、給紙トレイから画像形成部に用紙がＳＥＦで給紙され、用紙の長辺方向を書込副走査方向として画像が形成される場合に比べ、用紙への画像形成処理に要する時間が短くなる。加えて、原稿を読み取って得られる画像データの向きと用紙の向きが一致しているため、画像データの向きを９０度回転する必要がなく、複写処理に要する時間が最短となる。
【０００５】
しかしながら、ＡＤＦには、ＳＥＦの向きにのみ原稿がセット可能で、画像読取部に原稿をＳＥＦでのみ給紙可能なものがある。また、原稿をＬＥＦ／ＳＥＦのいずれの向きにもセット可能なＡＤＦであっても、ユーザーによっては、原稿がＳＥＦの向きにセットされ、画像読取部に原稿がＳＥＦで給紙される場合がある。
【０００６】
原稿がＳＥＦで給紙され原稿の長辺方向を読取副走査方向として原稿の画像が読み取られる場合、用紙がＳＥＦで給紙された方が、画像データを回転する必要がないために複写処理に要する時間が短くなることもあれば、用紙がＬＥＦで給紙された方が、画像形成処理に要する時間が短いために複写処理に要する時間が短くなることもある。したがって、原稿がＳＥＦで給紙され原稿の長辺方向を読取副走査方向として原稿の画像が読み取られる場合、画像が形成される用紙の給紙方向を適切に切り換えて、複写処理に要する時間を短縮することが望ましい。
【０００７】
なお、下記の特許文献１には、原稿の複写処理において、原稿の向きと一致する向きの用紙を給紙トレイから給紙して画像を形成する技術が開示されている。しかしながら、この技術では、画像データを回転する必要はないものの、原稿がＳＥＦで給紙される場合、必ずしも複写処理に要する時間が短縮されるとは限らない。
【０００８】
また、下記の特許文献２には、印刷データに基づく画像を用紙に形成する印刷処理において、ＬＥＦ／ＳＥＦで給紙される用紙に対する画像形成処理の時間差と、画像データを回転する処理に要する時間を考慮して、印刷時間が短い給紙方向を選択する技術が開示されている。しかしながら、この技術は、印刷処理に特化した技術であり、画像読取部により原稿の画像を読み取ることについては考慮されていない。
【先行技術文献】
【特許文献】
【０００９】
【特許文献１】特開平０９−０１８６９０号公報
【特許文献２】特開２００１−３２２３２６号公報
【発明の概要】
【発明が解決しようとする課題】
【００１０】
本発明は、上述した課題に鑑みてなされたものである。したがって、本発明の目的は、原稿の長辺方向を読取副走査方向とし短辺方向を読取主走査方向として原稿の画像を読み取り原稿の複写物を作成する複写処理において、複写処理に要する時間を短縮することができる複写装置および複写装置の制御プログラムを提供することである。
【課題を解決するための手段】
【００１１】
本発明の上記目的は、下記の手段によって達成される。
【００１２】
（１）原稿の長辺方向を読取副走査方向とし短辺方向を読取主走査方向として原稿の画像を読み取る読取部と、前記読取部により原稿の画像を読み取って得られた画像データを回転する回転部と、用紙の搬送方向を書込副走査方向とし当該書込副走査方向に直交する方向を書込主走査方向として、前記読取部により原稿の画像を読み取って得られた画像データまたは前記回転部により回転された画像データに基づく画像を用紙に形成する画像形成部と、用紙の長辺方向が前記書込副走査方向と一致する第１の向きで前記画像形成部に用紙が給紙される場合については、原稿の読み取り処理に要する時間と前記第１の向きで給紙される用紙への画像形成処理に要する時間とを考慮する一方、用紙の短辺方向が前記書込副走査方向と一致する第２の向きで前記画像形成部に用紙が給紙される場合については、前記読み取り処理に要する時間と画像データの回転処理に要する時間と前記第２の向きで給紙される用紙への画像形成処理に要する時間とを考慮して、前記第１および第２の向きのうち、原稿の読み取り処理が開始されてから画像形成処理が完了するまでに要する時間が短い一方の向きを選択する選択部と、前記選択部により前記第１の向きが選択された場合、前記回転部に回転処理を行わせることなく前記画像形成部に画像形成処理を行わせ、前記選択部により前記第２の向きが選択された場合、前記回転部に回転処理を行わせてから前記画像形成部に画像形成処理を行わせる制御を行う制御部と、を有することを特徴とする複写装置。
【００１３】
（２）前記第１の向きで用紙が給紙される場合と、前記第２の向きで用紙が給紙される場合とでは、前記読み取り処理が開始されてから前記画像形成処理が開始されるまでに要する時間が異なり、前記選択部は、前記時間が異なることを考慮して、前記第１および第２の向きのうち一方の向きを選択することを特徴とする上記（１）に記載の複写装置。
【００１４】
（３）前記第１の向きで用紙が給紙される場合、１枚の原稿の読み取り処理が完了する前に、当該原稿についての画像形成処理が開始され、前記第２の向きで用紙が給紙される場合、１枚の原稿の読み取り処理が完了したのち、当該原稿についての回転処理が行われてから、前記画像形成処理が開始されることを特徴とする上記（２）に記載の複写装置。
【００１５】
（４）画像データを縮小する縮小部をさらに有し、前記選択部は、画像データの縮小処理に要する時間をさらに考慮して、前記第１および第２の向きのうち一方の向きを選択し、前記縮小処理が行われる場合、前記制御部は、１枚の原稿の読み取り処理が完了したのち、当該原稿についての縮小処理を前記縮小部に行わせる制御を行うことを特徴とする上記（１）に記載の複写装置。
【００１６】
（５）画像データを拡大する拡大部をさらに有し、前記選択部は、画像データの拡大処理に要する時間をさらに考慮して、前記第１および第２の向きのうち一方の向きを選択し、前記拡大処理が行われる場合、前記制御部は、前記読取部に原稿の一部の画像を読み取らせ、当該一部の画像の読み取り処理が完了したのち、前記拡大部に拡大処理を行わせる制御を行うことを特徴とする上記（１）に記載の複写装置。
【００１７】
（６）前記選択部は、前記第１の向きで用紙が給紙される場合における前記読み取り処理が開始されてから前記画像形成処理が完了するまでに要する時間が、前記第２の向きで用紙が給紙される場合における前記読み取り処理が開始されてから前記画像形成処理が完了するまでに要する時間よりも長くなる複写部数を算出する算出部と、利用者により指定された原稿の複写部数を取得する取得部と、前記利用者により指定された複写部数が前記算出部により算出された複写部数よりも多い場合、前記第２の向きを選択する選択決定部と、を有することを特徴とする上記（１）〜（５）のいずれか１つに記載の複写装置。
【００１８】
（７）前記読取部は、第１の読み取り速度で読み取り処理を行う第１のモードと、前記第１の読み取り速度よりも遅い第２の読み取り速度で前記第１のモードよりも高解像度の読み取り処理を行う第２のモードを選択可能に構成されており、前記読み取り処理に要する時間は、前記第１のモードが選択されている場合と前記第２のモードが選択されている場合とで異なることを特徴とする上記（１）〜（６）のいずれか１つに記載の複写装置。
【００１９】
（８）前記読取部による１枚の原稿の読み取り処理に要する時間は、前記画像形成部による前記１枚の原稿についての画像形成処理に要する時間よりも長いことを特徴とする上記（１）〜（７）のいずれか１つに記載の複写装置。
【００２０】
（９）原稿の長辺方向を読取副走査方向とし短辺方向を読取主走査方向として原稿の画像を読み取る読取部と、前記読取部により原稿の画像を読み取って得られた画像データを回転する回転部と、用紙の搬送方向を書込副走査方向とし当該書込副走査方向に直交する方向を書込主走査方向として、前記読取部により原稿の画像を読み取って得られた画像データまたは前記回転部により回転された画像データに基づく画像を用紙に形成する画像形成部と、を有する複写装置を制御するための複写装置の制御プログラムであって、用紙の長辺方向が前記書込副走査方向と一致する第１の向きで前記画像形成部に用紙が給紙される場合については、原稿の読み取り処理に要する時間と前記第１の向きで給紙される用紙への画像形成処理に要する時間とを考慮する一方、用紙の短辺方向が前記書込副走査方向と一致する第２の向きで前記画像形成部に用紙が給紙される場合については、前記読み取り処理に要する時間と画像データの回転処理に要する時間と前記第２の向きで給紙される用紙への画像形成処理に要する時間とを考慮して、前記第１および第２の向きのうち、原稿の読み取り処理が開始されてから画像形成処理が完了するまでに要する時間が短い一方の向きを選択する手順（ａ）と、前記手順（ａ）において前記第１の向きが選択された場合、前記回転部に回転処理を行わせることなく前記画像形成部に画像形成処理を行わせ、前記手順（ａ）において前記第２の向きが選択された場合、前記回転部に回転処理を行わせてから前記画像形成部に画像形成処理を行わせる制御を行う手順（ｂ）と、を前記複写装置に実行させる複写装置の制御プログラム。
【００２１】
（１０）前記第１の向きで用紙が給紙される場合と、前記第２の向きで用紙が給紙される場合とでは、前記読み取り処理が開始されてから前記画像形成処理が開始されるまでに要する時間が異なり、前記手順（ａ）において、前記時間が異なることが考慮されることを特徴とする上記（９）に記載の複写装置の制御プログラム。
【００２２】
（１１）前記第１の向きで用紙が給紙される場合、１枚の原稿の読み取り処理が完了する前に、当該原稿についての画像形成処理が開始され、前記第２の向きで用紙が給紙される場合、１枚の原稿の読み取り処理が完了したのち、当該原稿についての回転処理が行われてから、前記画像形成処理が開始されることを特徴とする上記（１０）に記載の複写装置の制御プログラム。
【００２３】
（１２）前記複写装置は、画像データを縮小する縮小部をさらに有し、前記手順（ａ）において、画像データの縮小処理に要する時間をさらに考慮して、前記第１および第２の向きのうち一方の向きが選択され、前記縮小処理が行われる場合、前記手順（ｂ）において、１枚の原稿の読み取り処理が完了したのち、当該原稿についての縮小処理を前記縮小部に行わせる制御が行われることを特徴とする上記（９）に記載の複写装置の制御プログラム。
【００２４】
（１３）前記複写装置は、画像データを拡大する拡大部をさらに有し、前記手順（ａ）において、画像データの拡大処理に要する時間をさらに考慮して、前記第１および第２の向きのうち一方の向きが選択され、前記拡大処理が行われる場合、前記手順（ｂ）において、前記読取部に原稿の一部の画像を読み取らせ、当該一部の画像の読み取り処理が完了したのち、前記拡大部に拡大処理を行わせる制御が行われることを特徴とする上記（９）に記載の複写装置の制御プログラム。
【００２５】
（１４）前記手順（ａ）は、前記第１の向きで用紙が給紙される場合における前記読み取り処理が開始されてから前記画像形成処理が完了するまでに要する時間が、前記第２の向きで用紙が給紙される場合における前記読み取り処理が開始されてから前記画像形成処理が完了するまでに要する時間よりも長くなる複写部数を算出する手順（ａ１）と、利用者により指定された原稿の複写部数を取得する手順（ａ２）と、前記利用者により指定された複写部数が前記手順（ａ１）において算出された複写部数よりも多い場合、前記第２の向きを選択する手順（ａ３）と、を有することを特徴とする上記（９）〜（１３）のいずれか１つに記載の複写装置の制御プログラム。
【００２６】
（１５）前記読取部は、第１の読み取り速度で読み取り処理を行う第１のモードと、前記第１の読み取り速度よりも遅い第２の読み取り速度で前記第１のモードよりも高解像度の読み取り処理を行う第２のモードを選択可能に構成されており、前記読み取り処理に要する時間は、前記第１のモードが選択されている場合と前記第２のモードが選択されている場合とで異なることを特徴とする上記（９）〜（１４）のいずれか１つに記載の複写装置の制御プログラム。
【００２７】
（１６）前記読取部による１枚の原稿の読み取り処理に要する時間は、前記画像形成部による前記１枚の原稿についての画像形成処理に要する時間よりも長いことを特徴とする上記（９）〜（１５）のいずれか１つに記載の複写装置の制御プログラム。
【００２８】
（１７）上記（９）〜（１６）のいずれか１つに記載の複写装置の制御プログラムを記録したコンピュータ読み取り可能な記録媒体。
【発明の効果】
【００２９】
本発明によれば、原稿の長辺方向を読取副走査方向とし短辺方向を読取主走査方向として原稿の画像を読み取り原稿の複写物を作成する複写処理において、複写処理に要する時間が短縮される。
【図面の簡単な説明】
【００３０】
【図１】本発明の一実施形態にかかるＭＦＰの構成を示す概略正面図である。
【図２】図１に示されるＭＦＰの構成を示すブロック図である。
【図３】ＭＦＰにより実行される複写処理の手順を示すフローチャートである。
【図４】図３のステップＳ１０６に示される第１複写処理の手順を示すフローチャートである。
【図５】図３のステップＳ１０８に示される第２複写処理の手順を示すフローチャートである。
【図６】１枚の原稿を等倍で複数部数コピーする場合のＳＥＦによる複写処理に要する時間とＬＥＦによる複写処理に要する時間を示す図である。
【図７】３枚の原稿を等倍で１部コピーする場合のＳＥＦによる複写処理に要する時間とＬＥＦによる複写処理に要する時間を示す図である。
【図８】３枚の原稿を等倍で複数部数コピーする場合のＳＥＦによる複写処理に要する時間とＬＥＦによる複写処理に要する時間を示す図である。
【図９】４枚の原稿を１部縮小コピーする場合のＳＥＦによる複写処理に要する時間とＬＥＦによる複写処理に要する時間を示す図である。
【図１０】４枚の原稿を１部拡大コピーする場合のＳＥＦによる複写処理に要する時間とＬＥＦによる複写処理に要する時間を示す図である。
【図１１】ＭＦＰにより実行される複写処理の変形例を示すフローチャートである。
【図１２】図１１のステップＳ４０７に示される第３複写処理の手順を示すフローチャートである。
【発明を実施するための形態】
【００３１】
以下、図面を参照して、本発明の実施形態を詳細に説明する。
【００３２】
図１は、本発明の一実施形態にかかるＭＦＰの構成を示す概略正面図であり、図２は、図１に示されるＭＦＰの構成を示すブロック図である。
【００３３】
複写装置としてのＭＦＰ１００は、制御部１１０、操作パネル部１２０、画像読取部１３０、給紙部１４０、画像形成部１５０、および後処理部１６０を備えており、これらは信号をやり取りするためのバス１７０を介して相互に接続されている。
【００３４】
制御部１１０は、メインＣＰＵ（Ｃｅｎｔｒａｌ  Ｐｒｏｃｅｓｓｉｎｇ  Ｕｎｉｔ）１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、ハードディスク１０４、第１画像処理回路１０５、第２画像処理回路１０６、および通信インタフェース１０７を有する。
【００３５】
メインＣＰＵ１０１は、プログラムにしたがって上記各部の制御や各種の演算処理を行う。ＲＯＭ１０２は、各種プログラムや各種データを格納する。ＲＡＭ１０３は、作業領域として一時的にプログラムやデータを記憶する。
【００３６】
ハードディスク１０４は、ＭＦＰ１００の基本動作を制御する各種プログラムや各種データを格納する。また、ハードディスク１０４には、ＭＦＰ１００による複写処理の実行時に、給紙部１４０から画像形成部１５０に給紙される用紙の向き（ＬＥＦ／ＳＥＦ）を選択するためのプログラムが格納されている。
【００３７】
第１画像処理回路１０５は、画像読取部１３０により原稿の画像を読み取って得られる画像データに対して画像処理を行う。第１画像処理回路１０５は、画像データを拡大または縮小するための画像処理を行う。第２画像処理回路１０６は、ジョブの実行時に生成される画像データに対して画像処理を行い、画像処理後の画像データを画像形成部１５０へ転送する。第２画像処理回路１０６は、給紙部１４０から給紙される用紙の向きに応じて画像データの向きを９０度回転する回転処理を行う。
【００３８】
通信インタフェース１０７は、他の機器と通信するためのインタフェースであり、ネットワークインタフェースおよびＵＳＢ（Ｕｎｉｖｅｒｓａｌ  Ｓｅｒｉａｌ  Ｂｕｓ）インタフェースを含む。ネットワークインタフェースは、ネットワークを介して他の機器と通信するためのインタフェースであり、イーサネット（登録商標）、トークンリング、ＦＤＤＩ（Ｆｉｂｅｒ  Ｄｉｓｔｒｉｂｕｔｅｄ  Ｄａｔａ  Ｉｎｔｅｒｆａｃｅ）等の規格が用いられる。ＵＳＢインタフェースは、ＵＳＢメモリ等のＵＳＢ規格にしたがう機器を、ＭＦＰ１００が通電されている状態でＭＦＰ１００に接続および接続解除し得るインタフェースである。
【００３９】
操作パネル部１２０は、タッチパネル、テンキー、スタートボタン、およびストップボタン等の要素を備えており、各種情報の表示および各種指示の入力に使用される。
【００４０】
画像読取部１３０は、スキャナＣＰＵ１３１、ＣＣＤ（Ｃｈａｒｇｅ  Ｃｏｕｐｌｅｄ  Ｄｅｖｉｃｅｓ）イメージセンサ１３２、ＩＲ／ＡＤＦモータ１３３、およびモータドライバ１３４を備える。スキャナＣＰＵ１３１は、プログラムにしたがって上記各部の制御や各種の演算処理を行う。ＩＲ／ＡＤＦモータ１３３は、読み取り装置（Ｉｍａｇｅ  Ｒｅａｄｅｒ：ＩＲ）やＡＤＦを駆動するモータであり、モータドライバ１３４は、ＩＲ／ＡＤＦモータ１３３を制御する。本実施形態のＡＤＦには、原稿の長辺方向と原稿の搬送方向とが一致する向きにのみ原稿をセットすることができる。画像読取部１３０は、原稿台の所定の読み取り位置にセットされた原稿またはＡＤＦにより搬送される原稿に蛍光ランプ等の光源で光を当て、その反射光をＣＣＤイメージセンサ１３２で光電変換して、その電気信号から画像データを生成する。ＣＣＤイメージセンサ１３２は、原稿の搬送方向と直交する方向（読取主走査方向）に所定数の読取画素が延在するラインセンサである。また、本実施形態の画像読取部１３０は、高い解像度で原稿の画像を読み取る高画質モードと、低い解像度で原稿の画像を読み取る低画質モードとを選択可能に構成されている。
【００４１】
給紙部１４０は、画像が形成される用紙を収容する。給紙部１４０は、複数の給紙トレイ１４０ａ〜１４０ｃおよび手差しトレイ１４０ｄを有しており、給紙トレイ１４０ａ〜１４０ｃおよび手差しトレイ１４０ｄに収容された用紙を１枚ずつ画像形成部１５０に送り出す。複数の給紙トレイ１４０ａ〜１４０ｃには、異なるサイズまたは異なる向きの用紙がそれぞれ収容されている。本実施形態では、第１の給紙トレイ１４０ａには、画像形成部１５０に用紙がＳＥＦで給紙されるように、Ａ４サイズの用紙が縦向きに収容されている。一方、第２の給紙トレイ１４０ｂには、画像形成部１５０に用紙がＬＥＦで給紙されるように、Ａ４サイズの用紙が横向きに収容されている。
【００４２】
画像形成部１５０は、電子写真式プロセス等の周知の作像プロセスを用いて、第２画像処理回路１０６から転送された画像データに基づく画像を用紙に形成する。画像形成部１５０は、レーザ発振器、ポリゴンミラー、および感光体等からなる光学ユニット（不図示）を備えており、レーザ発振器から出射したレーザビームをポリゴンミラーで書込主走査方向に走査して感光体上に静電潜像を形成する。静電潜像にトナーを供給して得られるトナー像が、レーザビームの書込副走査方向（感光体の回転方向）に搬送される用紙に転写されることにより画像が形成される。
【００４３】
後処理部１６０は、画像形成部１５０により画像が形成された用紙を排出する。後処理部１６０は、複数の排紙トレイを有しており、画像が形成された用紙は所定の排紙トレイに排出される。また、後処理部１６０には、ステープル処理およびパンチ処理等の後処理を施すための後処理装置（不図示）が設けられている。
【００４４】
なお、ＭＦＰ１００は、上記構成要素以外の構成要素を含んでいてもよく、あるいは、上記構成要素のうちの一部が含まれていなくてもよい。
【００４５】
以上のとおり構成される本実施形態のＭＦＰ１００では、原稿の複写処理を実行する場合、複写処理に要する時間が短縮されるように、複写処理の内容に応じて、画像が形成される用紙の向きが切り換えられる。以下、図３〜図１２を参照して、ＭＦＰ１００の動作について説明する。
【００４６】
図３は、ＭＦＰにより実行される複写処理の手順を示すフローチャートである。なお、図３のフローチャートに示されるアルゴリズムは、ＭＦＰ１００のハードディスク１０４にプログラムとして記憶されており、メインＣＰＵ１０１により実行される。複写処理の実行に先立って、画像読取部１３０に原稿がＳＥＦで給紙され原稿の長辺方向を読取副走査方向として原稿の画像が読み取られるように、ＡＤＦに原稿がセットされる。
【００４７】
まず、コピー設定が受け付けられる（ステップＳ１０１）。本実施形態では、ユーザーにより設定されたコピー設定が受け付けられる。コピー設定には、画質設定、コピー部数設定、および拡大縮小設定が含まれる。また、本実施形態では、ユーザーにより原稿枚数が入力され、原稿枚数が受け付けられる。なお、本実施形態とは異なり、原稿枚数は、原稿の重量や厚さを検出して求められ、自動的に設定されてもよい。
【００４８】
続いて、用紙がＳＥＦで給紙される場合の複写処理に要する時間が算出される（ステップＳ１０２）。本実施形態では、ＳＥＦで給紙される原稿の画像を読み取ってＳＥＦで給紙される用紙に画像を形成する複写処理を実行する場合に、読み取り処理が開始されてから画像形成処理が完了するまでに必要とされる時間が算出される。具体的には、原稿枚数、コピー部数、ＳＥＦで給紙される用紙への画像形成処理に要する時間、画質設定に対応する読み取り速度（すなわち、読み取り処理に要する時間）、および拡大縮小処理の内容を考慮して、複写処理に要する時間が算出される。より具体的には、等倍の複写処理の場合には、原稿枚数、コピー部数、画像形成処理に要する時間、読み取り処理に要する時間、および同一の原稿についての読み取り処理と画像形成処理とが重複する時間に基づいて、複写処理に要する時間が算出される。また、拡大縮小を伴う複写処理の場合には、原稿枚数、コピー部数、画像形成処理に要する時間、読み取り処理に要する時間、および拡大縮小処理に要する時間に基づいて、複写処理に要する時間が算出される。
【００４９】
続いて、用紙がＬＥＦで給紙される場合の複写処理に要する時間が算出される（ステップＳ１０３）。本実施形態では、ＳＥＦで給紙される原稿の画像を読み取ってＬＥＦで給紙される用紙に画像を形成する複写処理を実行する場合に、読み取り処理が開始されてから画像形成処理が完了するまでに必要とされる時間が算出される。具体的には、原稿枚数、コピー部数、ＬＥＦで給紙される用紙への画像形成処理に要する時間、読み取り処理に要する時間、拡大縮小処理の内容、および画像データの回転処理に要する時間を考慮して、複写処理に要する時間が算出される。より具体的には、等倍の複写処理の場合には、原稿枚数、コピー部数、画像形成処理に要する時間、読み取り処理に要する時間、および回転処理に要する時間に基づいて、複写処理に要する時間が算出される。また、拡大縮小を伴う複写処理の場合には、原稿枚数、コピー部数、画像形成処理に要する時間、読み取り処理に要する時間、回転処理に要する時間、および拡大縮小処理に要する時間を考慮して、複写処理に要する時間が算出される。
【００５０】
続いて、用紙がＳＥＦで給紙される場合の複写処理に要する時間がＬＥＦで給紙される場合の時間よりも短いか否かが判断される（ステップＳ１０４）。本実施形態では、ステップＳ１０２に示す処理で算出された時間と、ステップＳ１０３に示す処理で算出された時間とが比較され、用紙がＳＥＦで給紙される場合の複写処理に要する時間が、ＬＥＦで給紙される場合の複写処理に要する時間よりも短いか否かが判断される。
【００５１】
用紙がＳＥＦで給紙される場合の複写処理に要する時間がＬＥＦで給紙される場合の時間よりも短いと判断される場合（ステップＳ１０４：ＹＥＳ）、ＳＥＦが選択される（ステップＳ１０５）。本実施形態では、用紙をＳＥＦで給紙して画像形成処理を行った方が用紙をＬＥＦで給紙して画像形成処理を行うよりも複写処理に要する時間が短いとして、ＳＥＦが選択される。
【００５２】
そして、第１複写処理が実行され（ステップＳ１０６）、処理が終了される。本実施形態では、ＳＥＦで給紙される用紙に対して画像形成処理が行われる第１複写処理が実行される。ステップＳ１０６に示される第１複写処理についての詳細な説明は後述する。
【００５３】
一方、ステップＳ１０４に示す処理において、用紙がＳＥＦで給紙される場合の複写処理に要する時間がＬＥＦで給紙される場合の時間よりも長いと判断される場合（ステップＳ１０４：ＮＯ）、ＬＥＦが選択される（ステップＳ１０７）。本実施形態では、用紙をＬＥＦで給紙して画像形成処理を行った方が用紙をＳＥＦで給紙して画像形成処理を行うよりも複写処理に要する時間が短いとして、ＬＥＦが選択される。
【００５４】
そして、第２複写処理が実行され（ステップＳ１０８）、処理が終了される。本実施形態では、ＬＥＦで給紙される用紙に対して画像形成処理が行われる第２複写処理が実行される。ステップＳ１０８に示される第２複写処理についての詳細な説明は後述する。
【００５５】
以上のとおり、図３に示されるフローチャートの処理によれば、複写処理の内容に基づいて、ＳＥＦおよびＬＥＦのうち、複写処理に要する時間の短い一方の給紙方向が選択され、選択結果に応じた複写処理が実行される。
【００５６】
図４は、図３のステップＳ１０６に示される第１複写処理の手順を示すフローチャートである。第１複写処理では、ＳＥＦで給紙される原稿の画像が読み取られ、ＳＥＦで給紙される用紙に対して画像が形成される。
【００５７】
まず、等倍コピーか否かが判断される（ステップＳ２０１）。本実施形態では、図３のステップＳ１０１に示す処理で受け付けられたコピー設定に基づいて、複写処理が縮小もしくは拡大コピーであるか、または、等倍コピーであるかが判断される。
【００５８】
等倍コピーでないと判断される場合（ステップＳ２０１：ＮＯ）、ステップＳ２０９の処理に移行する。一方、等倍コピーであると判断される場合（ステップＳ２０１：ＹＥＳ）、原稿の読み取り処理が開始される（ステップＳ２０２）。本実施形態では、ＳＥＦで給紙される原稿に対して、画像読取部１３０により、原稿の長辺方向を読取副走査方向とする画像の読み取りが開始される。
【００５９】
続いて、所定位置まで原稿が読み取られたか否かが判断される（ステップＳ２０３）。本実施形態では、ステップＳ２０２に示す処理で読み取りが開始された原稿について、原稿の長辺方向（読取副走査方向）の所定位置まで画像が読み取られたか否かが判断される。
【００６０】
所定位置まで原稿が読み取られていないと判断される場合（ステップＳ２０３：ＮＯ）、原稿が所定位置まで読み取られるまで待機する。
【００６１】
一方、所定位置まで原稿が読み取られたと判断される場合（ステップＳ２０３：ＹＥＳ）、画像形成処理が開始される（ステップＳ２０４）。本実施形態では、画像読取部１３０による読取副走査方向への読み取りの進行にしたがい生成される画像データに基づいて、ＳＥＦで給紙される用紙への画像の形成が開始される。ＳＥＦで給紙される用紙には、用紙の長辺方向を書込副走査方向として画像が形成される。
【００６２】
続いて、読み取り処理が完了したか否かが判断される（ステップ２０５）。本実施形態では、ステップＳ２０２に示す処理で読み取りが開始された原稿について、画像の読み取りが完了したか否かが判断される。
【００６３】
読み取り処理が完了していないと判断される場合（ステップＳ２０５：ＮＯ）、読み取り処理が完了するまで待機する。一方、読み取り処理が完了したと判断される場合（ステップＳ２０５：ＹＥＳ）、次の原稿があるか否かが判断される（ステップＳ２０６）。本実施形態では、ＡＤＦに原稿が残っているか否かが判断される。なお、読み取り処理が完了して得られた画像データは、再利用のために、ＲＡＭ１０３に記憶される。
【００６４】
次の原稿があると判断される場合（ステップＳ２０６：ＹＥＳ）、ステップＳ２０２の処理に戻る。その結果、ＡＤＦにセットされているすべての原稿の読み取り処理が完了するまで、ステップＳ２０２以下の処理が繰り返される。
【００６５】
一方、次の原稿がないと判断される場合（ステップＳ２０６：ＮＯ）、複数部数コピーであるか否かが判断される（ステップＳ２０７）。本実施形態では、図３のステップＳ１０１に示す処理で受け付けられたコピー設定に基づいて、２部以上のコピー部数が設定されているか否かが判断される。
【００６６】
複数部数コピーであると判断される場合（ステップＳ２０７：ＹＥＳ）、残り部数の出力が行われる（ステップＳ２０８）。本実施形態では、ＲＡＭ１０３に記憶されている原稿の画像データに基づいて、残り部数の画像形成が行われる。一方、複数部数コピーでないと判断される場合（ステップＳ２０７：ＮＯ）、処理が終了される。
【００６７】
以上のとおり、図４のステップＳ２０１〜Ｓ２０８に示す処理によれば、ＳＥＦで給紙される原稿の画像が読み取られつつ、ＳＥＦで給紙される用紙に画像が形成される。用紙がＳＥＦで給紙される場合、原稿の画像データの向きと用紙の向きが一致するため、画像データを回転する必要がなく、１枚の原稿の読み取り処理が完了する前に画像形成処理が開始される。すなわち、ＳＥＦで等倍コピーを行う場合には、同一の原稿について、読み取り処理を実行している時間と画像形成処理を実行している時間とが一部重複し、読み取り処理が開始されてから画像形成処理が開始されるまでの時間が短い。
【００６８】
一方、ステップＳ２０１に示す処理において、等倍コピーでないと判断される場合（ステップＳ２０１：ＮＯ）、原稿の読み取り処理が開始される（ステップＳ２０９）。本実施形態では、ＳＥＦで給紙される原稿に対して、原稿の長辺方向を読取副走査方向とする画像の読み取りが開始される。
【００６９】
続いて、読み取り処理が完了したか否かが判断される（ステップ２１０）。読み取り処理が完了していないと判断される場合（ステップＳ２１０：ＮＯ）、読み取り処理が完了するまで待機する。一方、読み取り処理が完了したと判断される場合（ステップＳ２１０：ＹＥＳ）、画像の拡大縮小処理が実行される（ステップＳ２１１）。本実施形態では、コピー設定に基づいて、画像読取部１３０により原稿の画像を読み取って得られた画像データに対して拡大または縮小処理が施される。
【００７０】
続いて、画像形成処理が開始される（ステップＳ２１２）。本実施形態では、ステップＳ２１１に示す処理で拡大縮小処理が施された画像データに基づいて、ＳＥＦで給紙される用紙への画像の形成が開始される。ＳＥＦで給紙される用紙には、用紙の長辺方向を書込副走査方向として画像が形成される。
【００７１】
続いて、次の原稿があるか否かが判断される（ステップＳ２１３）。次の原稿があると判断される場合（ステップＳ２１３：ＹＥＳ）、ステップＳ２０９の処理に戻る。一方、次の原稿がないと判断される場合（ステップＳ２１３：ＮＯ）、コピー設定に応じて残り部数の出力が行われ（ステップＳ２０７，Ｓ２０８）、処理が終了される。
【００７２】
以上のとおり、図４のステップＳ２０７〜Ｓ２１３に示す処理によれば、ＳＥＦで給紙される原稿の画像が読み取られ、画像の拡大縮小処理が実行された後、ＳＥＦで給紙される用紙に画像が形成される。なお、用紙がＳＥＦで給紙される場合、原稿の画像データの向きと用紙の向きが一致するため、画像データを回転する必要はない。しかしながら、画像の拡大縮小処理が伴う場合には、原稿の読み取り処理が完了して得られる原稿１枚分の画像データに対して拡大縮小処理を施す必要があるため、読み取り処理の完了前に画像形成処理を開始することはできない。
【００７３】
図５は、図３のステップＳ１０８に示される第２複写処理の手順を示すフローチャートである。第２複写処理では、ＳＥＦで給紙される原稿の画像が読み取られ、ＬＥＦで給紙される用紙に対して画像が形成される。
【００７４】
まず、等倍コピーか否かが判断される（ステップＳ３０１）。等倍コピーでないと判断される場合（ステップＳ３０１：ＮＯ）、ステップＳ３０９の処理に移行する。一方、等倍コピーであると判断される場合（ステップＳ３０１：ＹＥＳ）、原稿の読み取り処理が開始される（ステップＳ３０２）。本実施形態では、ＳＥＦで給紙される原稿に対して、原稿の長辺方向を読取副走査方向とする画像の読み取りが開始される。
【００７５】
続いて、読み取り処理が完了したか否かが判断される（ステップＳ３０３）。読み取り処理が完了していないと判断される場合（ステップＳ３０３：ＮＯ）、読み取り処理が完了するまで待機する。
【００７６】
一方、読み取り処理が完了したと判断される場合（ステップＳ３０３：ＹＥＳ）、画像の回転処理が実行される（ステップＳ３０４）。本実施形態では、画像読取部１３０により原稿の画像を読み取って得られた画像データに対して、画像データの向きを９０度回転する回転処理が施される。画像データの向きが９０度回転されることにより、ＳＥＦで給紙された原稿の画像を読み取って得られた画像データに基づく画像を、ＬＥＦで給紙される用紙に形成することが可能になる。
【００７７】
続いて、画像形成処理が開始される（ステップＳ３０５）。本実施形態では、ステップＳ３０４に示す処理で回転された画像データに基づいて、ＬＥＦで給紙される用紙への画像の形成が開始される。ＬＥＦで給紙される用紙には、用紙の短辺方向を書込副走査方向として画像が形成される。
【００７８】
続いて、次の原稿があるか否かが判断される（ステップＳ３０６）。次の原稿があると判断される場合（ステップＳ３０６：ＹＥＳ）、ステップＳ３０２の処理に戻る。一方、次の原稿がないと判断される場合（ステップＳ３０６：ＮＯ）、複数部数コピーであるか否かが判断される（ステップＳ３０７）。
【００７９】
複数部数コピーであると判断される場合（ステップＳ３０７：ＹＥＳ）、残り部数の出力が行われる（ステップＳ３０８）。一方、複数部数コピーでないと判断される場合（ステップＳ３０７：ＮＯ）、処理が終了される。
【００８０】
以上のとおり、図５のステップＳ３０１〜Ｓ３０８に示す処理によれば、ＳＥＦで給紙される原稿の画像が読み取られ、画像の回転処理が実行された後、ＬＥＦで給紙される用紙に画像が形成される。
【００８１】
一方、ステップＳ３０１に示す処理において、等倍コピーでないと判断される場合（ステップＳ３０１：ＮＯ）、原稿の読み取り処理が開始される（ステップＳ３０９）。本実施形態では、ＳＥＦで給紙される原稿に対して、原稿の長辺方向を読取副走査方向とする画像の読み取りが開始される。
【００８２】
続いて、読み取り処理が完了したか否かが判断される（ステップ３１０）。読み取り処理が完了していないと判断される場合（ステップＳ３１０：ＮＯ）、読み取り処理が完了するまで待機する。一方、読み取り処理が完了したと判断される場合（ステップＳ３１０：ＹＥＳ）、画像の拡大縮小処理が実行される（ステップＳ３１１）。
【００８３】
続いて、画像の回転処理が実行され（ステップＳ３１２）、画像形成処理が開始される（ステップＳ３１３）。本実施形態では、ＬＥＦで給紙される用紙に対して、用紙の短辺方向を書込副走査方向として画像が形成される。
【００８４】
続いて、次の原稿があるか否かが判断される（ステップＳ３１４）。次の原稿があると判断される場合（ステップＳ３１４：ＹＥＳ）、ステップＳ３０９の処理に戻る。一方、次の原稿がないと判断される場合（ステップＳ３１４：ＮＯ）、コピー設定に応じて残り部数の出力が行われ（ステップＳ３０７，Ｓ３０８）、処理が終了される。
【００８５】
以上のとおり、図５のステップＳ３０７〜Ｓ３１４に示す処理によれば、ＳＥＦで給紙される原稿の画像が読み取られ、画像の拡大縮小処理および回転処理が実行された後、ＬＥＦで給紙される用紙に画像が形成される。
【００８６】
次に、図６〜図１０を参照して、用紙がＳＥＦで給紙される場合の複写処理に要する時間とＬＥＦで給紙される場合の複写処理に要する時間との関係を説明する。
【００８７】
図６〜図１０は、用紙がＳＥＦで給紙される場合の複写処理に要する時間とＬＥＦで給紙される場合の複写処理に要する時間を示すタイムチャート図である。各図の横軸は、コピー開始時点からの経過時間である。各図の上部は、用紙がＳＥＦで給紙される場合の複写処理を示し、各図の下部は、用紙がＬＥＦで給紙される場合の複写処理を示す。なお、本実施形態の複写処理では、１枚の原稿の画像データに基づく画像形成処理に要する時間は、１枚の原稿の読み取り処理に要する時間よりも短い。また、読み取り処理に要する時間は、画質モードに応じた読み取り速度により変化する。
【００８８】
図６は、１枚の原稿を等倍で複数部数コピーする場合のＳＥＦによる複写処理に要する時間とＬＥＦによる複写処理に要する時間を示す図である。
【００８９】
上述したとおり、ＳＥＦによる複写処理では、画像データの回転処理を実行する必要がなく、画像読取部１３０による原稿の読み取り処理（スキャン）が完了する前に画像形成処理が開始される。一方、ＬＥＦによる複写処理では、画像データの回転処理を実行する必要があるため、画像読取部１３０による原稿の読み取り処理が完了した後、画像回転処理が実行されてから、画像形成処理が開始される。
【００９０】
したがって、図６に示されるとおり、１枚の原稿を複数部数コピーする場合、コピー部数が特定部数（図６では、３部）未満では、ＳＥＦの方が複写処理に要する時間が短い。しかしながら、画像形成処理に要する時間自体はＬＥＦの方が短いため、コピー部数が特定部数以上になると、ＬＥＦの方が複写処理に要する時間が短くなる。
【００９１】
本実施形態の複写処理では、コピー設定に基づいて、ＳＥＦによる複写処理に要する時間と、ＬＥＦによる複写処理に要する時間がそれぞれ算出される。具体的には、ＳＥＦによる複写処理では、読み取り処理が完了する前に画像形成処理が開始されることを考慮して複写処理に要する時間が算出され、ＬＥＦによる複写処理では、読み取り処理が完了した後に回転処理が実行され、画像形成処理が開始されることを考慮して、複写処理に要する時間が算出される。そして、算出された時間に基づいて、複写処理に要する時間が短い一方の給紙方向が選択され、選択された給紙方向による複写処理が実行される。
【００９２】
図７は、３枚の原稿を等倍で１部コピーする場合のＳＥＦによる複写処理に要する時間とＬＥＦによる複写処理に要する時間を示す図であり、図８は、３枚の原稿を等倍で複数部数コピーする場合のＳＥＦによる複写処理に要する時間とＬＥＦによる複写処理に要する時間を示す図である。
【００９３】
図７に示されるとおり、本実施形態のＭＦＰ１００では、３枚の原稿を等倍で１部コピーする場合、ＬＥＦよりもＳＥＦの方が複写処理に要する時間が短くなる。したがって、本実施形態の複写処理では、ＳＥＦが選択され、ＳＥＦで給紙される用紙に対して画像形成処理が行われる。
【００９４】
一方、図８に示されるとおり、本実施形態のＭＦＰ１００では、３枚の原稿を等倍で複数部数コピーする場合、ＳＥＦよりもＬＥＦの方が複写処理に要する時間が短くなる。したがって、本実施形態の複写処理では、ＬＥＦが選択され、ＬＥＦで給紙される用紙に対して画像形成処理が行われる。
【００９５】
図９は、４枚の原稿を１部縮小コピーする場合のＳＥＦによる複写処理に要する時間とＬＥＦによる複写処理に要する時間を示す図である。
【００９６】
上述したとおり、画像が縮小される場合には、画像データに画像処理を施す必要があるため、原稿の読み取り処理が完了する前に画像形成処理を開始することができず、原稿の読み取り処理が完了した後、画像処理が実行されてから画像形成処理が開始される。したがって、図９に示されるとおり、本実施形態のＭＦＰ１００では、ＳＥＦによる複写処理に要する時間とＬＥＦによる複写処理に要する時間とはほぼ同じになる。
【００９７】
図１０は、４枚の原稿を１部拡大コピーする場合のＳＥＦによる複写処理に要する時間とＬＥＦによる複写処理に要する時間を示す図である。
【００９８】
画像が拡大される場合には、原稿の一部の画像のみが読み取られるため、画像の読み取り範囲は狭くなる。しかしながら、読み取り解像度を上げる必要があるため、読み取り速度自体は遅くなる。なお、読み取り速度は、たとえば、ＡＤＦによる用紙の搬送速度を切換えることにより変更される。したがって、拡大倍率に応じて、等倍コピーよりも読み取り処理に要する時間が短くなることもあれば長くなることもある。また、画像データに画像処理を施す必要があるため、原稿の読み取り処理が完了する前に画像形成処理を開始することができない。
【００９９】
図１０では、ＳＥＦよりもＬＥＦの方が複写処理に要する時間が短い。したがって、本実施形態の複写処理では、ＬＥＦが選択され、ＬＥＦで給紙される用紙に対して画像形成処理が行われる。
【０１００】
以上のとおり、本実施形態によれば、原稿がＳＥＦで給紙される複写処理の実行時に、画像が形成される用紙の給紙方向として、ＳＥＦおよびＬＥＦのうち、複写処理に要する時間が短い一方の給紙方向が選択される。そして、選択された給紙方向による複写処理が実行される。このような構成によれば、複写処理に要する時間が短縮される。
【０１０１】
（変形例）
図１１は、ＭＦＰにより実行される複写処理の変形例を示すフローチャートである。
【０１０２】
まず、コピー設定が受け付けられる（ステップＳ４０１）。続いて、等倍コピーか否かが判断される（ステップＳ４０２）。
【０１０３】
等倍コピーでないと判断される場合（ステップＳ４０２：ＮＯ）、ＬＥＦが選択される（ステップＳ４０８）。本実施形態では、原稿の読み取り処理が完了する前に画像形成処理を開始することができず、用紙をＬＥＦで給紙して画像形成処理を行った方が複写処理に要する時間が短くなるとして、ＬＥＦが選択される。
【０１０４】
一方、ステップＳ４０２に示す処理において、等倍コピーであると判断される場合（ステップＳ４０２：ＹＥＳ）、１枚の原稿を１部コピーするか否かが判断される（ステップＳ４０３）。本実施形態では、原稿枚数が１枚であり、かつ、ユーザーにより設定されたコピー部数が１部であるか否かが判断される。
【０１０５】
１枚の原稿を１部コピーすると判断される場合（ステップＳ４０３：ＹＥＳ）、ＳＥＦが選択される（ステップＳ４０６）。本実施形態では、１枚の原稿を１部コピーする場合、原稿の読み取り処理が完了する前に画像形成処理を開始して、読み取り処理の完了とほぼ同時に画像形成処理を完了させることができるため、ＳＥＦが選択される。
【０１０６】
一方、ステップＳ４０３に示す処理において、１枚の原稿を１部コピーしないと判断される場合（ステップＳ４０３：ＮＯ）、コピー設定に基づいて、ＳＥＦとＬＥＦとを切り替える基準となるコピー部数Ｎが算出される（ステップＳ４０４）。本実施形態では、ステップＳ４０１に示す処理で受け付けられたコピー設定および原稿枚数に基づいて、ＳＥＦによる複写処理に要する時間とＬＥＦによる複写処理に要する時間とが逆転するコピー部数Ｎが算出される。
【０１０７】
そして、ユーザーにより設定されたコピー部数がＮ以上であるか否かが判断される（ステップＳ４０５）。本実施形態では、ステップＳ４０１に示す処理で受け付けられたコピー部数が、ステップＳ４０４に示す処理で算出された部数Ｎ以上であるか否かが判断される。
【０１０８】
コピー部数がＮ未満であると判断される場合（ステップＳ４０５：ＮＯ）、ＳＥＦが選択される（ステップＳ４０６）。そして、第３複写処理が実行され（ステップＳ４０７）、処理が終了される。
【０１０９】
図１２は、図１１のステップＳ４０７に示される第３複写処理の手順を示すフローチャートである。図１２のステップＳ５０１〜Ｓ５０７に示す処理は、図４のステップＳ２０２〜Ｓ２０８に示す処理と同様であるため、第３複写処理についての詳細な説明は省略する。第３複写処理が実行されることにより、ＳＥＦで給紙される原稿の画像が読み取られつつ、ＳＥＦで給紙される用紙に画像が形成される。
【０１１０】
一方、ステップＳ４０５に示す処理において、コピー部数がＮ以上であると判断される場合（ステップＳ４０５：ＹＥＳ）、ＬＥＦが選択される（ステップＳ４０８）。そして、第２複写処理が実行され（ステップＳ４０９）、処理が終了される。第２複写処理は、図５に示されるフローチャートの処理と同様であるため、説明は省略する。第２複写処理が実行されることにより、ＳＥＦで給紙される原稿の画像が読み取られ、画像の拡大縮小処理および回転処理が実行された後、ＬＥＦで給紙される用紙に画像が形成される。
【０１１１】
本発明は、上述した実施形態のみに限定されるものではなく、特許請求の範囲内において、種々改変することができる。
【０１１２】
たとえば、上述した実施形態では、本発明をＭＦＰに適用する場合を例に挙げて説明した。しかしながら、本発明は複写機に適用されてもよい。
【０１１３】
本実施形態にかかる複写装置における各種処理を行う手段および方法は、専用のハードウエア回路、またはプログラムされたコンピュータのいずれによっても実現することが可能である。上記プログラムは、たとえば、フレキシブルディスクおよびＣＤ−ＲＯＭ等のコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送され記憶される。また、上記プログラムは、単独のアプリケーションソフトとして提供されてもよいし、複写装置の一機能としてその装置のソフトウエアに組み込まれてもよい。
【符号の説明】
【０１１４】
１００  ＭＦＰ、
１０１  メインＣＰＵ、
１０２  ＲＯＭ、
１０３  ＲＡＭ、
１０４  ハードディスク、
１０５  第１画像処理回路、
１０６  第２画像処理回路、
１０７  通信インタフェース、
１１０  制御部、
１２０  操作パネル部、
１３０  画像読取部、
１４０  給紙部、
１４０ａ，１４０ｂ，１４０ｃ  給紙トレイ、
１４０ｄ  手差しトレイ、
１５０  画像形成部、
１６０  後処理部、
１７０  バス。
【図１】
2013003400.tif 000003
【図２】
2013003400.tif 000004
【図３】
2013003400.tif 000005
【図４】
2013003400.tif 000006
【図５】
2013003400.tif 000007
【図６】
2013003400.tif 000008
【図７】
2013003400.tif 000009
【図８】
2013003400.tif 000010
【図９】
2013003400.tif 000011
【図１０】
2013003400.tif 000012
【図１１】
2013003400.tif 000013
【図１２】
2013003400.tif 000014